(57)【要約】【目的】  印刷速度や紙厚に関係なく、常に良好な排紙と排紙台上での紙揃えを実現できる枚葉印刷機の排紙吸引装置の提供を目的とする。【構成】  排紙台２０の上流に枚葉紙６の紙尻を吸引する一対の吸引部を有する中心部とこの中心部の外側を枚葉紙６の走行方向に回転する複数の吸引孔を有する回転部１５とを備えた真空吸引車８を装備したことを特徴とする。【選択図】  図１
2008290871.tif 000002
【特許請求の範囲】
【請求項１】
印刷部で印刷が終了した枚葉紙をチェーングリッパにより搬送し紙尻を吸引しながら排紙台上に搬送落下させて積載させるための枚葉印刷機の排紙吸引装置であって、
前記排紙台の上流に前記枚葉紙を吸引する一対の吸引手段を有する中心部とこの中心部の外側を前記枚葉紙の走行方向に回転する複数の吸引孔を有する回転部とを備えた真空吸引車を装備したことを特徴とする排紙吸引装置。
【請求項２】
前記一対の吸引手段は前記枚葉紙の走行方向に前後して設けられるとともに、この吸引手段の吸引開口の一部が前記枚葉紙の走行方向に相互に並行に位置していることを特徴とする請求項１に記載の排紙吸引装置。
【請求項３】
前記回転部の回転中に、前記吸引手段のそれぞれの前記吸引開口上に前記回転部の吸引孔が複数位置されることを特徴とする請求項１又は請求項２に記載の排紙吸引装置。
【請求項４】
前記吸引手段はそれぞれ個別に真空吸引装置と接続されていることを特徴とする請求項１乃至請求項３のいずれか１項に記載の排紙吸引装置。
【発明の詳細な説明】
【技術分野】
【０００１】
本発明は、枚葉印刷機における排紙吸引装置に関し、特に印刷後の枚葉紙を支障なく排紙し積載するための枚葉印刷機における排紙吸引装置に関する。
【背景技術】
【０００２】
枚葉印刷機においては、印刷部にて印刷が完了した枚葉紙をチェーンに数個連着されているチェーングリッパによって所定の位置まで搬送し積載している。しかし、近年印刷スピードの向上とともに、紙揃えを良好に行って排紙台上に枚葉紙を一様に積載することが難しくなっている。この問題を解決するために、搬送された枚葉紙の紙尻を吸引してブレーキをかけるエアーによる吸引装置を装備し常時回転している吸引車を取付けて、搬送中の枚葉紙を吸着させチェーングリッパが紙放しを行ったときに枚葉紙のスピードを減速させ紙当てにて紙揃えして排紙台上に枚葉紙を良好に積載するようにしている。
【０００３】
しかし、枚葉紙のスピードを減速させるために吸引車を使用しても、紙厚、印刷速度、印刷環境などの条件によって紙揃えの条件が変化するため、排紙吸引車の回転速度やその他を微妙に合わせなければならず、調整が困難であった。ことに薄紙の場合、吸引孔を単純に真上に向けてだけ設けたのでは、紙尻が吸引孔を通過して開放された時点で、紙尻にバタツキが発生して次に搬送されてくる枚葉紙と接触し、このため、その枚葉紙の搬送が干渉されて安定した搬送、排紙が困難になるとともに、排紙台上での安定した紙揃えができないという問題が生まれる。ことに、印刷速度が速くなり枚葉紙の搬送速度が速くなるほど、また、紙厚が薄くなるほど、この問題が大きくなる。
【０００４】
このため、例えば、特許文献１に示されるように、紙厚に応じて吸引の位置を変化させるようにした枚葉印刷機における真空吸引車が提案されている。この特許文献１に示される技術によれば、吸引車外表面の吸引穴の位置を、吸引車真上の位置を基準にして紙厚に応じて前（厚紙の場合）または後（薄紙の場合）に可変とすることで上記の問題の解決を図っている。
【特許文献１】実開昭６３−１００４５４号公報
【発明の開示】
【発明が解決しようとする課題】
【０００５】
しかしながら、上記特許文献１に記載された技術によれば、以下のような問題があった。
（１）吸引位置を前または後に変化させるには、モータやギヤなどを使用するために複雑な装置構成が必要となり、コストがかさんでしまうという問題があった。
（２）これを避けるためには、手動で調整することも考えられるが、手動で調整した場合には、調整に手間がかかるため、作業が繁雑であり、かつ、時代の要請に応えられないという問題があった。
【０００６】
従って、本発明の目的は、印刷速度や紙厚に関係なく、常に良好な排紙と排紙台上での紙揃えを実現でき、かつ、構造が簡単で廉価な枚葉印刷機の排紙吸引装置を提供することにある。
【課題を解決するための手段】
【０００７】
本発明は、上記課題を解決するために、印刷部で印刷が終了した枚葉紙をチェーングリッパにより搬送し紙尻を吸引しながら排紙台上に搬送落下させて積載させるための枚葉印刷機の排紙吸引装置であって、前記排紙台の上流に前記枚葉紙を吸引する一対の吸引手段を有する中心部とこの中心部の外側を前記枚葉紙の走行方向に回転する複数の吸引孔を有する回転部とを備えた真空吸引車を装備したことを特徴とする枚葉印刷機の排紙吸引装置を提供するものである（請求項１)。
これにより、枚葉紙の紙尻を吸引してその走行スピードを遅らせるとともに、一対の吸引手段で吸引を行いながら紙尻の受け渡しが行われるので、紙尻が浮いてバタついたり、先行する枚葉紙と後続の枚葉紙とが絡むような事態を防止することができ、枚葉紙の搬送と排紙を良好に行わせることができる。
【０００８】
ここで、前記一対の吸引手段は前記枚葉紙の走行方向に前後して設けられるとともに、この吸引手段の吸引開口の一部が前記枚葉紙の走行方向に相互に並行に位置するように構成しても良い(請求項２)。
これにより、一対の吸引手段で吸引が行われながら紙尻の受け渡しが行われ、且つその受け渡しで吸引が途切れることなくスムーズに行われるので、紙尻がバタツくのを防止することができる。
【０００９】
また、前記回転部の回転中に、前記吸引手段のそれぞれの前記吸引開口上に前記回転部の吸引孔が複数位置されることを特徴とする(請求項３)。
これにより、吸引が局部的にならず、吸引が枚葉紙に対して一様に安定して行われるとともに、吸引が持続していても紙離れの良い排紙吸引装置を実現することができる。
【００１０】
さらに、前記吸引手段はそれぞれ個別に真空吸引装置と接続されていることを特徴とする（請求項４）。
これにより、一方の吸引手段の吸引の影響が他方に影響することがなく、安定に吸引を実行することが可能な排紙吸引装置を実現することができる。
【発明の効果】
【００１１】
本発明は、以上のように構成し機能するので、印刷速度や紙厚に関係なく、枚葉紙の搬送、排紙と排紙台上へ積載を安定確実に行うことができ、かつ構造が簡単で廉価な枚葉印刷機の排紙吸引装置を提供することができる。
【発明を実施するための最良の形態】
【００１２】
以下、本発明の実施形態について図面に基づいて詳細に説明する。
図１は、本発明の排紙吸引装置が用いられる枚葉印刷機の排紙装置の説明用側面図である。
【００１３】
所定の印刷を終了した枚葉紙６は、最終印刷装置の印刷胴１８から枚葉紙搬送装置１である、排紙軸１９を巻回して走行するエンドレスチェーン９に具備されたチェーングリッパ１０へ受け渡され、チェーングリッパ１０に把持された状態で搬送ベルト１１上を移送させられる。
そして、搬送ベルト１１の下流でその紙尻は、一旦、シートガイド５上を走行した後、真空吸引車８によって速度が制動され、減速した状態で排紙台２０に落下するようになっている。
枚葉紙搬送装置１で移送された印刷済みの枚葉紙６は、シート積重部の下流側上方に設けられた前当てに当接して前端が揃えられ、排紙台２０上において、シート進行方向における適宜の位置（タイミング）でチェーングリッパ１０から開放されて、排紙台２０のパレット上へ順次落下し積み重ねられる。
【００１４】
枚葉紙６はその落下に際して走行速度を制動され、減速することによって前当てに激突する不具合を解消すると共に、落下する枚葉紙６の姿勢を制御する手段として、シート積重装置の上方入り口部に真空吸引車８が設備されている。
【００１５】
この真空吸引車８は、フレームに軸支され図示省略の単独モータを介し、あるいは印刷機構と連動して駆動回転するよう構成された外筒部（回転部）１５が設けられている。この外筒部（回転部）１５は外周面の全域に円周方向に沿って複数個の吸引孔１６が設けられていて、その周速度はシートの走行速度よりも遅くなるよう設定されている。したがって、移送途上の枚葉紙６は、下方に配設させた搬送ベルト１１上を走行した後、シートガイド５を経て真空吸引車８に受け渡され、速度が制動され、減速した状態で排紙台２０に落下することになる。
【００１６】
図２は、この真空吸引車８とシートガイド５を含む枚葉紙搬送装置１下流部の詳細側面図である。また図３は、その断面平面図である。さらに、図４に、真空吸引車の上面図(ａ)と側面図（ｂ）とを示す。これらの図に沿って、本発明の排紙吸引装置の構成と動作について説明する。
【００１７】
真空吸引車８は、バキューウム(真空ガイド)１７がそれぞれ別個に接続される１対の吸引部１２、１３を含む固定された内部コア部分１４と、この内部コア部分１４の周囲を枚葉紙６の移動方向に回転する外筒部（回転部）１５とから構成されている。
【００１８】
ここで、吸引部１２、１３は、図４（ａ）に示すように枚葉紙６の走行方向に前後した位置に１対設けられており、その上流側の吸引部（以降減速吸引部と呼ぶ）１２の開口の終わり部分と、下流側の吸引部（以降落下吸引部と呼ぶ）１３の開口の始まり部分とがそれぞれ延長されて、その延長部分が枚葉紙６の走行方向に相互に並行に並んで受け渡し部Ｍを構成している。
後述するように、減速吸引部１２は主として枚葉紙６の走行速度を排紙部で減速するように機能し、落下吸引部１３は枚葉紙６の落下時にその紙尻を保持して落下方向を決めるように機能する。
また、外筒部（回転部）１５には、複数の吸引孔１６が設けられており、この吸引孔１６を通して吸引部１２、１３の開口の吸引力が働いて枚葉紙６を外筒部（回転部１５）の表面に吸いつける。
外筒部（回転部）１５の吸引孔１６は、外筒部（回転部）１５の回転中に、吸引部１２、１３のそれぞれの吸引開口上に複数位置されるように設けられている。このため、吸引が局部的にならず、吸引が枚葉紙６に対して一様に安定して行われるとともに、吸引が持続していても紙離れの良い真空吸引車８を実現することができる。
【００１９】
上述したように、印刷終了後の枚葉紙６は、チェーングリッパ１０に受け渡された後、その紙頭部分はチェーングリッパ１０によって上方に吊り上げられた状態で、紙尻部分は搬送ベルト１１の上に搭載された状態で、図１、図２においての図の左方向に搬送される。そうして、枚葉紙６の紙尻が搬送ベルト１１を離れてシートガイド５上に来るようになると、図２に示したように枚葉紙６の紙尻に近い部分が真空吸引車８の吸引部１２、１３に吸引されて、その外筒部（回転部）１５に密着するようになり、外筒部（回転部）１５の回転速度がチェーングリッパ１０の移送速度よりも遅いために、引き戻されるような減速制動が係った状態となって移動する。  
【００２０】
さらに、枚葉紙６のチェーングリッパ１０による搬送が進むと、枚葉紙６の紙尻はシートガイド５上から、真空吸引車８の外筒部（回転部）１５上に受け渡される。
この受け渡しの状況を、図５の真空吸引車８による枚葉紙６の受け渡しの説明図に沿ってさらに詳しく説明する。
【００２１】
図５（ａ）に示した状態では、枚葉紙６の紙尻はまだシートガイド５上にあり、枚葉紙６の中間部分が真空吸引車８の外筒部（回転部）１５に沿って張り付いている。この状態では、減速吸引部１２と落下吸引部１３とはともに枚葉紙６に対して吸引を行っていて、枚葉紙６の紙尻に制動をかけるように働いている。
【００２２】
この図５（ａ）の状態からさらに枚葉紙６の左方向搬送が進むと、図５（ｂ）に示すような減速吸引部１２と落下吸引部１３の端部が並行に並んだ受け渡し部分Ｍに枚葉紙６の紙尻が到来する。
すると、紙尻の吸引は、減速吸引部１２から落下吸引部１３に受け継がれるが、受け渡し部分Ｍでは、減速吸引部１２の終端の延長部分と落下吸引部１３の先端の延長部分とが平行に並んで吸引を行っているため、吸引の受け継ぎの際に相互の吸引が断続することなくスムーズに行われ、紙尻が吸引部１２、１３の吸引から外れてフリーになるようなことがない。したがって、枚葉紙６の紙尻は外筒部（回転部）１５に張り付いたままで移動する。
【００２３】
図５（ｃ）の状態にくると、チェーングリッパ１０は開いて枚葉紙６の先端部分を開放する。このため、枚葉紙の先端は排紙台２０に向けて落下し始めるが、紙尻は落下吸引部１３に吸引された状態で外筒部（回転部）１５に沿って滑り落ちるので、その落下方向を固定させ、排紙台２０への枚葉紙６の積載を安定に実行することができる。
【００２４】
以上に述べた減速吸引部１２と落下吸引部１３はそれぞれ個別にバキューウム(真空ガイド)１７に接続されて吸引が行われるため、一方の吸引が他方の吸引に影響されることがなく、吸引にむらがなく安定な吸引が可能になる。
【００２５】
本実施の形態によれば、上記の如く構成され機能するので、紙厚に関係なく常に良好な紙揃えが可能になる。印刷速度が向上しても、現在の枚葉紙と次に搬送される枚葉紙との干渉がなくなり、紙尻のバタツキが発生しない。２箇所の吸引部の吸引の受け渡しがスムーズに可能になって、吸引の効果が大きい。装置が比較的簡単な構成であるため廉価に提供することができる。吸引部を２箇所にしたため、減速のための吸引と落下制御のための吸引とを区別して行えてそれぞれの効果を示すことができる。などの効果が得られる。
【産業上の利用可能性】
【００２６】
本発明は、枚葉印刷機の排紙部の紙揃えにおいて顕著な効果を示すことができるので、印刷業界の広い分野で広範な利用の可能性を有している。
【図面の簡単な説明】
【００２７】
【図１】本発明の排紙吸引装置が用いられる枚葉印刷機の排紙装置の説明用側面図である。
【図２】本発明の排紙吸引装置が用いられるシート搬送装置下流部の詳細側面図である。
【図３】本発明の排紙吸引装置が用いられるシート搬送装置下流部の断面平面図である。
【図４】本発明の排紙吸引装置の真空吸引車の上面図(ａ)と側面図（ｂ）である。
【図５】図４に示す真空吸引車による枚葉紙の受け渡し動作の説明図である。
【符号の説明】
【００２８】
１  枚葉紙搬送装置
５  シートガイド
６  枚葉紙
８  真空吸引車
９  エンドレスチェーン
１０  チェーングリッパ
１１  搬送ベルト
１２  減速吸引部
１３  落下吸引部
１４  内部コア
１５  外筒部
１６  吸引孔
１７  真空ガイド
１８  圧胴
１９  排紙軸
２０  排紙台
【図１】
2008290871.tif 000003
【図２】
2008290871.tif 000004
【図３】
2008290871.tif 000005
【図４】
2008290871.tif 000006
【図５】
2008290871.tif 000007